(57)【要約】      （修正有）【課題】工具箱などの収納容器において、収納する物品の形状や大きさに対応させて、一つのトレーの装着位置を上段と下段に自由に変更できるトレー装着構造を提供する。【解決手段】対向する本体１の長手方向壁面２の、広幅である上部に上トレー支受部３を、細幅である下部に下トレー支受部４を形成する。本体内部に配置するトレー５を縦長形状とし、短辺に上トレー支受部３に支受させる支持部６を、長辺に下トレー支受部４に支受させる支持部６を形成する。トレー５を縦長方向に配置することによって上トレー支受部に、横長方向に配置することによって下トレー支受部に、それぞれ装着することができる。【選択図】図４
0003187896.tif 000002
【実用新案登録請求の範囲】
【請求項１】
対向する本体の長手方向壁面の広幅である上部に上トレー支受部を、対向する本体の長手方向壁面の細幅である下部に下トレー支受部形成し、
本体内部に配置するトレーを縦長形状とし、トレーの短辺に前記上トレー支受部に支受させる支持部を、トレーの長辺に前記下トレー支受部に支受させる支持部を形成することによって、同一のトレーを本体内の上トレー支受部と下トレー支受部のいずれにも選択的に装着することができるようにしたことを特徴とする工具箱などの収納容器におけるトレー装着構造。
【請求項２】
上トレー支受部と下トレー支受部は、本体の長手方向壁面の内面に突出する上向きの突条とし、トレーは長方形とし、トレーに形成する支持部は、トレー上端に形成した外鍔の外周縁に上トレー支受部及び下トレー支受部に係合する下向きの周壁を形成した構造とし、該周壁の四隅部分は上トレー支受部あるいは下トレー支受部が通過する切欠部としてなる請求項１記載の工具箱などの収納容器におけるトレー装着構造。
【請求項３】
本体の幅方向壁面の上部に、トレー長辺の支持部が係合する係合部を、本体の幅方向壁面の下部に、トレー短辺の支持部が係合する係合部を形成したことを特徴とする請求項１又は２記載の工具箱などの収納容器におけるトレー装着構造。
【考案の詳細な説明】
【技術分野】
【０００１】
本考案は、工具箱などの収納容器において、本体の内部に装着するトレーの装着構造に関する考案である。
【背景技術】
【０００２】
工具箱などの収納容器においては、容器内部に小物などを整理するためのトレーを配置することが行われている。特許文献１には、箱型の工具箱本体の内部に、電動工具などの工具を収容する内装箱を収容し、工具箱本体内部の上端部、具体的には工具箱本体のフランジに皿状容器(トレー)を収容する工具箱の発明が開示されている。
特許文献２には、容器本体の内部に装着する中皿を、容器本体の内部に反転させて配置して電動工具などを安定的に支持する支持台とするとともに、電動工具を携行しない場合は、中皿を容器本体の上端に配置して小物などを収容するために使用することができる工具箱の構造が開示されている。
【先行技術文献】
【特許文献】
【０００３】
【特許文献１】実用新案登録第３０１９４０９号公報
【特許文献２】特開２０１３−３５０８２号公報
【考案の概要】
【考案が解決しようとする課題】
【０００４】
従来の一般的な工具箱のトレーや、特許文献１や特許文献２に記載された発明のトレーでは、本体の上端部に載置して使用されるものであり、本体内の上下に取り付け位置を変更することはできなかった。したがって、収納する物品の形状や大きさによって、収納するのが不便な場合があった。
上記従来技術の欠点に鑑み、本考案は工具箱などの収納容器において、収納する物品の形状や大きさに対応させて、一つのトレーの装着位置を上段と下段に自由に変更して装着することができる、トレー装着構造を実現することを目的とするものである。
【考案の開示】
【課題を解決するための手段】
【０００５】
上記目的を達成する、請求項１記載の本考案は、対向する本体１の長手方向壁面２の広幅である上部に上トレー支受部３を、対向する本体１の長手方向壁面の細幅である下部に下トレー支受部４形成する。
本体１内部に配置するトレー５は縦長形状とし、トレー５の短辺5aに前記上トレー支受部３に支受させる支持部６を、トレー５の長辺に前記下トレー支受部４に支受させる支持部６を形成することによって、同一のトレー５を本体１内の上トレー支受部３と下トレー支受部４のいずれにも選択的に装着することができるようにしたことを特徴とする工具箱などの収納容器におけるトレー装着構造である。
【０００６】
請求項２記載の考案は、上トレー支受部３と下トレー支受部４の形状を、本体１の長手方向壁面２の内面に突出する上向きの突条とする。トレー５は長方形とし、トレー５に形成する支持部６は、トレー５上端に形成した外鍔７の外周縁に、上トレー支受部３及び下トレー支受部４に係合する下向きの周壁８を形成したものとする。このとき、周壁８の四隅部分は上トレー支受部３あるいは下トレー支受部４が通過するように切欠部８を設けておく。
【０００７】
請求項３記載の考案は、本体１の幅方向壁面11の上部に、トレー５長辺の支持部６が係合する係合部10を、本体１の幅方向壁面11の下部に、トレー短辺の支持部が係合する係合部12を形成することである。
【考案の効果】
【０００８】
請求項１記載の本考案工具箱などの収納容器におけるトレー装着構造によれば、一つのトレー５の向きを変えることによって、本体１内の上部もしくは下部に、自由に装着することができる効果がある。したがって、収納する物品に応じて本体内部の空間をなるべく有効に活用することができる。
【０００９】
請求項２記載の考案によれば、一つのトレー５を本体の上部、下部のいずれにおいてもしっかりと、確実に装着することができる効果がある。すなわち、突条である支受部３や４に係合する支持部６を周壁８とした場合、周壁８の内側に支受部を挿入させることはできない。ところが、請求項２のように周壁８の四隅部分に切欠部９を形成することによって、上トレー支受部３あるいは下トレー支受部４である直線的な突条が、切欠部を通過することによって周壁８の内側に突条である支受部が入り込み、トレー５を安定的に装着することができる。トレー自体は、周壁によって強度が向上するとともに、装着したトレーは、突条である支受部がガイドレールのように機能して長手方向に自由に移動させることができる。
【００１０】
請求項３記載の考案によれば、装着したトレー５の支持部６を、本体１の幅方向壁面11、11に形成した係合部10もしくは12に係合させることによって、トレー５が妄動するのを防止することができる。
すなわち、本体１の上部にトレー５を装着した場合は、トレー５の長辺5bに形成された支持部６を、本体１の幅方向壁面11の上部に形成した係合部10に係合させ、本体１の下部にトレーを装着した場合は、トレー５の短辺5aに形成した支持部６を、本体１の幅方向壁面11の下部に形成した係合部12に係合させることによって、装着したトレーが安定する。
【図面の簡単な説明】
【００１１】
【図１】図１は、蓋を閉じた収納容器全体の斜視図、
【図２】図２は、トレーを上トレー支持部に支持させた、蓋を開けた収納容器の斜視図、
【図３】図３は、トレーを下トレー支持部に支持させた、蓋を開けた収納容器の斜視図、
【図４】図４は、図１とは異なるサイズであって、内部に収容するトレーを下トレー支持部に配置する状態を示した、蓋を開けた収納容器の斜視図、
【図５】図５は、図１の V−V線断面図、
【図６】図６は、図１のVI−VI線断面図、
【図７】図７は、トレーの平面図、
【図８】図８は、トレーの底面図である。
【考案を実施するための最良の形態】
【００１２】
以下、本考案に係る工具箱などの収納容器におけるトレー装着構造の実施形態を添付の図面に基づいて説明する。
図１は、蓋を閉じた収納容器全体の斜視図、図２は、トレーを上トレー支持部に支持させた、蓋を開けた収納容器の斜視図、図３は、トレーを下トレー支持部に支持させた、蓋を開けた収納容器の斜視図、図４は異なるサイズの実施形態を示す、蓋を開けた収納容器の斜視図である。
【００１３】
図示実施形態の収納容器は、合成樹脂材で成型する工具箱であって、図１に示すように横長形状の本体１の上面に蓋13を装着し、本体１の前面にロックレバー14を設け、閉蓋状態でロックすることができる。蓋13は、図２から理解されるように、背面位置のヒンジ16によって開閉し、蓋13上面にハンドル15を設けることによって閉蓋状態で提げることができる。
【００１４】
本体１は、対向する長手方向壁面２、２及び幅方向壁面11、11のいずれもが上方に向けて広がる傾斜壁とするとともに、高さ方向の中間位置に段部17を形成している。本体１の四隅には、段部17を形成しない連続部分を設け、該部分が支柱として機能し、強度的に優れた構造としている。
本体１の長手方向壁面２の広幅である上部に上トレー支受部３を、本体１の長手方向壁面２の細幅である下部に下トレー支受部４形成している。
【００１５】
上トレー支持部３は、本体１の長手方向壁面２の上端部の内面に突出する上向きの突条として形成している。下トレー支受部４は、本体１の長手方向壁面２の細幅である下部に形成している。具体的には、本体内のほぼ中間の高さに位置する、前記した段部17部分の内面に、上向きの突条として形成している。
【００１６】
図示実施形態においては、前記長手方向壁面２に形成する上トレー支受部３及び下トレー支受部４とは別に、幅方向壁面11の内面に、前記上トレー支持部３と同じ高さ位置に、上方に向けて突出する係合部10を、前記下トレー支持部４と同じ高さ位置に、上方に向けて突出する係合部12を形成している。
【００１７】
本体１内部に配置するトレー５は縦長の形状とし、トレー５の短辺5aに前記上トレー支受部３に支受させる支持部６を、トレー５の長辺5bに前記下トレー支受部４に支受させる支持部６を形成することによって、同一のトレー５を本体１内の上トレー支受部３と下トレー支受部４のいずれにも選択的に装着することができる。
【００１８】
トレー５は、対向する辺に形成する支持部６、６が、上トレー支持部３、３の間隔の部分と、別の対向する辺に形成する支持部６、６が、下トレー支持部４、４の間隔の部分を備えるものであれば、例えば方形の四隅を切除した八角形のような形状とすることもできるが、図示実施形態においては、トレーの平面形状を長方形とし、該トレーの外周部分に支持部６を形成している。
トレー５の具体的形状は、図７、図８に示すように、平面形状が長方形であって、上端に外鍔７を形成し、外鍔７の外周縁に、上トレー支受部３及び下トレー支受部４に係合する支持部６として、下向きの周壁８を形成している。周壁８の内側に上トレー支受部３もしくは下トレー支受部４が係合する。
【００１９】
すなわち、図５、図８から理解されるように、トレー５の短辺5a部分の周壁８の内接寸法Ａが、本体１に形成する上トレー支受部３、３、具体的には上トレー支受部３である突条の外接寸法にほぼ等しく、トレー５の長辺5b部分の周壁８の内接寸法Ｂが、本体１に形成する下トレー支受部４、４、具体的には下トレー支受部４である突条の外接寸法とほぼ等しくなるように構成している。
【００２０】
トレー５の周壁８は、全周にわたって形成するのではなく、四隅部分に周壁８の切欠部９を形成している。この切欠部９を形成することにより、長手方向壁面２の上トレー支受部３もしくは下トレー支受部４である突条に係合させたとき、突条が切欠部９を通過し、上トレー支受部３あるいは下トレー支受部４である突条が、周壁８の直線的な一辺の内面にしっかりと係合することになる。切欠部９がないと、周壁の下端が突条の上端に支持されるため、突条の外側面と周壁の内側面が当接する状態に装着することができない。
【００２１】
上トレー支受部３及び下トレー支受部４は、トレー５を支受することができる構造であれば、必ずしも突条である必要はなく、例えば単純な段部として構成することもできるとともに、トレー５に形成する支持部６は、周壁ではなく単純な外鍔とすることもできる。
しかしながら、実施形態のように支受部を突条とし、これを周壁の内面に係合させた場合は、装着したトレー５がしっかりと安定するとともに、周壁８が存在することによってトレー５の強度が向上する効果がある。この場合、周壁四隅の切欠部９が必要な構成となる。
【００２２】
図示実施形態においては、対向する本体１の長手方向壁面２、２の、上トレー支受部３、３及び下トレー支受部４、４とは別に、長手方向の両端に位置する、本体１の幅方向壁面11、11の上部に、トレー５長辺5bの支持部６が係合する係合部10を、本体１の幅方向壁面11の下部に、トレー短辺5aの支持部が係合する係合部12を形成している。
トレー５長辺5bの支持部６を係合させるための係合部10は、長手方向壁面２の、上トレー支受部３と同じ高さの位置に、トレー５短辺5aの支持部６を係合させるための係合部12は、長手方向壁面２の、下トレー支受部４と同じ高さの位置に配置している。係合部10及び12は、図３や図４から理解されるように、一定間隔を隔てた一対の短い突条として形成している。
【００２３】
以上述べた収納容器において、図２に示すようにトレー５を本体１内の上位置に配置する場合は、長方形のトレー５の短辺5a、5aを前後方向に配置して、図５の上位置に示すように短辺5aの周壁８を本体１の上トレー支受部３、３に嵌合させるように係合させて配置する。
トレー５を本体１内の下位置に配置する場合は、長方形のトレー５の長辺5b、5bを前後方向に配置して、図５の下位置に示すように長辺5bの周壁８を本体の下トレー支受部４、４に嵌合させるように係合させて配置する。
【００２４】
上トレー支受部２あるいは下トレー支受部３に支受させたトレー５は、図６に矢印で示すように、上トレー支受部３や下トレー支受部４に沿って左右方向に移動させて使用することが可能である。このとき、上トレー支受部２や下トレー支受部３は、トレー５の切欠部９を通過する。トレー５は、左右方向に自由に移動する状態で使用するものであってもよいが、トレー５の長手方向壁面２に係合している以外の辺の係合部を、幅方向壁面11に形成した係合部10もしくは12に係合させることによって、トレー５が妄動しない安定した状態で使用することができる。
本考案を実施する上において、一つのトレー５を使用し、適宜上又は下に付け替えて使用するほか、複数のトレーを使用し、上位置と下位置にそれぞれ配置したり、複数のトレーを上下いずれかに配置して使用することもできる。
【符号の説明】
【００２５】
１…本体、  ２…長手方向壁面、  ３…上トレー支受部、  ４…下トレー支受部、  ５…トレー、  5a…短辺、  5b…長辺、  ６…支持部、  ７…外鍔、  ８…周壁、  ９…切欠部、  10…係合部、  11…幅方向壁面、  12…係合部、  13…蓋、  14…ロックレバー、  15…ハンドル、  16…ヒンジ、  17…段部。
【図１】
0003187896.tif 000003
【図２】
0003187896.tif 000004
【図３】
0003187896.tif 000005
【図４】
0003187896.tif 000006
【図５】
0003187896.tif 000007
【図６】
0003187896.tif 000008
【図７】
0003187896.tif 000009
【図８】
0003187896.tif 000010